(57)【要約】  物品は、第１の位置状態と第２の位置状態との間で移行可能であり、第２の位置状態に付勢される。物品は、所定条件に合致するまで保持手段によって第１の位置状態に保持されており、その所定条件に合致すると、付勢手段は付勢力を働かせ、物品を第１の位置状態から第２の位置状態に移行させる。所定条件は、物品の少なくとも１つの面に置かれた少なくとも１つの形成物が第１の位置状態から第２の位置状態に移行すると合致し、それによって保持手段を解除し、第１の位置状態から第２の位置状態への物品の移行を可能にする。同じく提供されるのは、互いに相互作用するようになっており、１つの物品は、他方の物品を第１の位置状態から第２の位置状態に移行させるための所定条件に合致する少なくとも２つの物品の群である。【選択図】図２
2019500988.tif 000002
【特許請求の範囲】
【請求項１】
物品であって、該物品は、第１の位置状態と第２の位置状態との間で移行可能であり、前記第２の位置状態に付勢され、該物品は、所定条件に合致するまで保持手段によって前記第１の位置状態に保持されており、前記所定条件に合致すると、付勢手段は付勢力を働かせ、該物品を前記第１の位置状態から前記第２の位置状態に移行させる、物品において、
前記所定条件は、該物品の少なくとも１つの面に置かれた少なくとも１つの形成物が第１の位置状態から第２の位置状態に移行すると合致し、それによって前記保持手段を解除し、前記第１の位置状態から前記第２の位置状態への前記物品の移行を可能にすることを特徴とする、
物品。
【請求項２】
前記少なくとも１つの形成物は、前記物品の少なくとも１つの面から外側に延在するように形成される、請求項１に記載の物品。
【請求項３】
前記少なくとも１つの形成物は、前記物品の実質的に内側に促されることで、前記保持手段を解除するように設けられる、請求項１に記載の物品。
【請求項４】
前記少なくとも１つの形成物は、前記物品の内側に促されることによって第１の位置状態から第２の位置状態に移行可能な複数の形成物の１つである、請求項１に記載の物品。
【請求項５】
前記物品の内側に促されたとき、前記形成物のうち１つのみは前記保持手段の解除が可能であり、前記形成物の少なくともいくつかの移行は前記保持手段に影響を及ぼさない、請求項４に記載の物品。
【請求項６】
前記物品に置かれた少なくとも１つの更なる形成物は、前記物品の内側に促され得ないように実質的に硬い形成物として設けられる、請求項１に記載の物品。
【請求項７】
前記物品の内側に促されてもよい少なくとも１つの形成物と、前記物品の内側に促され得ないように実質的に硬い形成物として設けられる少なくとも１つの形成物と、を含む、請求項１に記載の物品。
【請求項８】
前記所定条件は、第２の物品が前記第１の物品と接触する又は前記第１の物品の所定範囲内に位置することによって作成される、請求項１に記載の物品。
【請求項９】
前記少なくとも１つの形成物と前記保持手段は、前記物品の実質的に同じ面に関連付けられる、請求項１に記載の物品。
【請求項１０】
前記保持手段は前記保持手段が関連付けられる前記面を、隣接する面に接続することで前記物品を前記第１の位置状態に保持する、請求項９に記載の物品。
【請求項１１】
前記物品の２つ以上の面はヒンジ連結されており、前記保持手段は２つの面の隣接する自由縁部を保持することで前記物品を前記第１の位置状態に保持する、請求項１に記載の物品。
【請求項１２】
取外し可能な本体は、前記物品の少なくとも１つの面と関連付けられて設けられる、請求項１に記載の物品。
【請求項１３】
前記少なくとも１つの形成物は前記取外し可能な本体とともに置かれる、請求項１２に記載の物品。
【請求項１４】
前記本体は、前記物品の前記面のうちの１つの開口内に取り外し可能に置かれる、請求項１２に記載の物品。
【請求項１５】
前記取外し可能な本体は、前記物品とともに置かれたとき、前記取外し可能な本体が置かれた物品の前記面の少なくとも一部を形成する、請求項１に記載の物品。
【請求項１６】
少なくとも１つの磁石は、前記物品と関連付けられて設けられる、請求項１に記載の物品。
【請求項１７】
前記少なくとも１つの磁石は、前記物品を実質的に第２の物品と整列させるために設けられる、請求項１６に記載の物品。
【請求項１８】
リセット手段を更に含む、請求項１に記載の物品。
【請求項１９】
前記リセット手段は１つ以上のひも又はより糸部材等を含む、請求項１８に記載の物品。
【請求項２０】
前記１つ以上のひも又はより糸部材は、前記物品に設けられた２つ以上の面又はパネルを接続するために設けられる、請求項１９に記載の物品。
【請求項２１】
ユーザによって作動されると、前記リセット手段は、前記物品を前記第２の位置状態から前記第１の位置状態に少なくとも一部戻すように設けられる、請求項２０に記載の物品。
【請求項２２】
物品群であって、第１の位置状態と第２の位置状態との間で移行可能であり、前記第２の位置状態に付勢される少なくとも２つの物品を含み、該物品は、所定条件に合致するまで保持手段によって前記物品のそれぞれの第１の位置状態に保持され、前記物品の少なくとも１つに関する前記所定条件は、前記物品が接触する又は既定の距離内にあるときに合致し、この時点で、前記少なくとも２つの物品の前記１つは、付勢手段の影響下で前記第１の位置状態から前記第２の位置状態に移行する、物品群において、
前記所定条件は、前記少なくとも２つの物品の前記１つの少なくとも１つの面に置かれた少なくとも１つの形成物が第１の位置状態から第２の位置状態に移行すると合致し、それによって前記保持手段を解除し、前記第１の位置状態から前記第２の位置状態への前記物品の移行を可能にすることを特徴とする、
物品群。
【請求項２３】
前記少なくとも１つの形成物は、前記少なくとも２つの物品のうちの第２の物品の対応する形成物と接触すると実質的に内側に促されるように配置される、請求項２２に記載の物品群。
【請求項２４】
前記第２の物品に置かれた前記対応する形成物は、前記対応する形成物が置かれた前記物品の内側に促され得ないように実質的に硬い形成物として設けられるが、前記第１の物品に関する前記所定条件に合致するように、前記第１の物品の前記第１の形成物は内側に促すように配置される、請求項２３に記載の物品群。
【請求項２５】
各物品は、前記物品の内側に促されてもよい少なくとも１つの形成物と、前記物品の内側に促され得ないように実質的に硬い形成物として設けられる少なくとも１つの形成物と、を含む、請求項２２に記載の物品群。
【請求項２６】
各物品は、典型的には、前記物品の内側に促されることによって第１の位置状態から第２の位置状態に移行されてもよい複数の形成物を含む、請求項２２に記載の物品群。
【請求項２７】
前記少なくとも２つの物品のうちの第１の物品における前記所定条件に合致するとき、前記第２の位置状態は、前記第１の物品が移行し、典型的には反転し、前記少なくとも２つの物品のうちの第２の物品を少なくとも部分的に巻き込む、閉じ込める及び／又は捕らえるためのものである、請求項２２に記載の物品群。
【請求項２８】
付勢手段は、前記少なくとも２つの物品を前記少なくとも２つの物品のそれぞれの第２の位置状態に付勢するために前記少なくとも２つの物品のそれぞれに設けられる、請求項２２に記載の物品群。
【請求項２９】
第１の物品の又は前記第１の物品と関連付けられた前記第１の形成物は、第２の物品の又は前記第２の物品と関連付けられた第２の、実質的に硬い形成物に対応する、請求項２２に記載の物品群。
【請求項３０】
前記第１の物品の又は前記第１の物品と関連付けられた前記第１の形成物は、前記第２の物品の又は前記第２の物品と関連付けられた前記第２の実質的に硬い形成物と接触すると、前記第１の形成物は前記第１の物品の内側に促され、前記第１の物品に関する前記所定条件に合致する、請求項２９に記載の物品群。
【請求項３１】
取外し可能な本体は、前記物品のそれぞれの少なくとも１つの面と関連付けられて設けられ、前記少なくとも１つの形成物は前記取外し可能な本体とともに置かれる、請求項２２に記載の物品群。
【請求項３２】
少なくとも１つの磁石は、各物品と関連付けられて設けられ、前記物品の面に置かれる、請求項２２に記載の物品群。
【請求項３３】
前記少なくとも１つの磁石は、前記形成物が関連付けられた前記物品の同じ面に置かれる又は関連付けられる、請求項３２に記載の物品群。
【請求項３４】
前記少なくとも１つの磁石は、２つの物品を互いに整列させるように配置される、請求項３２に記載の物品群。
【請求項３５】
少なくとも２つの磁石は、前記第１の物品が前記第２の物品に置かれた対応する磁石で整列するように配置されるように、前記物品の同じ面の実質的に反対側に設けられる、請求項２２に記載の物品群。
【請求項３６】
前記物品はリセット手段を更に含む、請求項２２に記載の物品群。
【請求項３７】
前記リセット手段は１つ以上のひも又はより糸部材等を含む、請求項３６に記載の物品群。
【請求項３８】
前記１つ以上のひも又はより糸部材は、前記物品に設けられた２つ以上の面又はパネルを接続するために設けられる、請求項３７に記載の物品群。
【請求項３９】
ユーザによって作動されると、前記リセット手段は、物品を前記第２の位置状態から前記第１の位置状態に少なくとも一部戻すように設けられる、請求項３６に記載の物品群。
【請求項４０】
少なくとも２つの物品間の相互作用を生じさせる方法であって、それぞれの第１の位置状態にあり、前記第１の位置状態とそれぞれの第２の位置状態との間で移行可能な少なくとも２つの物品を設けるステップと、前記第１の物品及び／又は前記第２の物品のいずれか若しくは両方に関する所定条件に合致するまで前記少なくとも２つの物品を互いに近づけるステップであって、物品において前記所定条件に合致すると、付勢手段は付勢力を働かせ、その物品を前記第１の位置状態から前記第２の位置状態に移行させる、ステップと、を含む、方法において、
前記所定条件は、その物品の少なくとも１つの面に置かれた少なくとも１つの形成物が、他方の物品の対応する形成物によって第１の位置状態から第２の位置状態に移行すると合致し、それによって前記保持手段を解除し、前記第１の位置状態から前記第２の位置状態へのその物品の移行を可能にすることを特徴とする、
方法。
【発明の詳細な説明】
【技術分野】
【０００１】
本出願に関連する本発明は、所定条件に合致すると第１の位置状態と第２の位置状態との間で移行可能な物品である。本発明は、更に、前記物品の２つを既定の手法で引き合わせる方法に関する。
【０００２】
以下の説明は、専ら、遊戯用玩具などの物品の使用、及び物品の２つ以上を用いて遊ぶ方法に関するが、当業者であれば、本発明はまた、ゲームに限定されない種々の他の目的のために使用され得ることは理解するであろう。
【背景技術】
【０００３】
コレクタブル玩具は長きにわたって知られている。特に、コレクタブル「バトル用」玩具も知られており、多くの異なる形態で提供されている。例えば、商品名Ｂｅｙｂｌａｄｅ（商標）で販売されているバトル用コレクタブルの範囲には、２つの回転するコレクタブルアイテムをバトルアリーナに進め、続いてコレクタブルアイテムをそれらの回転経路が一致するときに互いに接触させるものを含む。勝者は、他方の回転軸を倒すか、他方をアリーナから完全に出し、アリーナ内で回転し続けている方である。コレクタブルアイテムをアリーナに投入する際、自身のコレクタブルアイテムが相手のコレクタブルアイテムに対して有利となるように、ユーザは種々の手法を使用してもよい。
【０００４】
商品名Ｂａｋｕｇａｎ（商標）で販売されているコレクタブルバトル用玩具の別の形態は、バトル前又はバトル中に第１の状態から第２の状態に変形することができる玩具を含む。勝者の判定は、どのような動きを行えるか、あるいはどれほどのヒットポイント等が得られるかを示し得る一連の特定のプレーカードによって決めることができる。この場合も、バトル／ゲームが進むにつれて、ユーザ／プレーヤは誰が最終的な勝者になり得るかの兆しがわかる。しかしながら、これら一連の「バトル用」コレクタブルのいずれも、結果が出る前の兆しが全くと言っていいほどない、最終的な結果がわかるまで最終的な勝者が未知のままである筋書きを提供しない。
【０００５】
本出願人の同時係属中の国際特許出願である国際公開第２０１５／１５９０７７号パンフレットにおいて、第１の位置状態で提供され、第１の位置状態に保持されるが、第２の位置状態に付勢される物品が開示されている。第２の物品と又は第２の物品の所定範囲内に接触すると、物品のうちの１つ内の所定条件に合致し、２つのうち１つが「作動」され、第２の位置状態に移行する。本出願人の同時係属出願に開示される事例では、第１の物品の第１の磁石が第２の物品の第２の磁石によって作動されると所定条件に合致し、これにより更には、解除留め金を引き、第１の物品が第２の位置状態に移行することを可能にする。物品が作動される機構は、相互作用する物品における磁石の特定の配置構成及び相互作用に依存する。しかしながら、時間の経過とともに、磁石は、物品が落下する、揺れる等によりその感度又は引力を失う場合があり、結果として、物品の機能性は低下する。
【発明の概要】
【発明が解決しようとする課題】
【０００６】
したがって、本発明の目的は、前述の課題を克服する物品を提供することである。
【０００７】
本発明の更なる目的は、前述の課題を克服する２つ以上の物品の組み合わせを提供することである。
【０００８】
本発明の更に別の目的は、前述の課題を克服する２つ以上の物品を結合する方法を提供することである。
【課題を解決するための手段】
【０００９】
本発明の第１の態様によれば、物品が提供され、前記物品は、第１の位置状態と第２の位置状態との間で移行可能であり、第２の位置状態に付勢され、前記物品は、所定条件に合致するまで保持手段によって第１の位置状態に保持されており、前記所定条件に合致すると、付勢手段は付勢力を働かせ、物品を第１の位置状態から第２の位置状態に移行させ、前記所定条件は、物品の少なくとも１つの面に置かれた少なくとも１つの形成物が第１の位置状態から第２の位置状態に移行すると合致し、それによって前記保持手段を解除し、第１の位置状態から第２の位置状態への物品の移行を可能にすることを特徴とする。
【００１０】
一実施形態では、前記少なくとも１つの形成物は、物品の少なくとも１つの面から外側に延在するように形成されている。典型的には、前記少なくとも１つの形成物は、物品の実質的に内側に促されることで、前記保持手段を解除するように設けられている。
【００１１】
一実施形態では、前記少なくとも１つの形成物は、典型的には、物品の内側に促されることによって第１の位置状態から第２の位置状態に移行されてもよい複数の形成物の１つである。典型的には、物品の内側に促されたとき、形成物のうち１つのみは保持手段の解除が可能であり、形成物の少なくともいくつかの移行は保持手段に影響を及ぼさない。
【００１２】
一実施形態では、物品に置かれた少なくとも１つの形成物は、物品の内側に促され得ないように実質的に硬い形成物として設けられている。
【００１３】
一実施形態では、物品は、物品の内側に促されてもよい少なくとも１つの形成物と、物品の内側に促され得ないように実質的に硬い形成物として設けられている少なくとも１つの形成物と、を含む。
【００１４】
一実施形態では、物品は、物品の内側に促されて保持手段を解除してもよい１つの形成物と、物品の内側に促されてもよい少なくとも１つの更なる形成物と、物品の内側に促され得ないように実質的に硬い形成物として設けられている少なくとも１つの形成物と、を含む。
【００１５】
一実施形態において、前記所定条件は、一実施形態では、第１の物品に類似してもよい第２の物品が前記第１の物品と接触する又は前記第１の物品の所定範囲内に位置することによって作成される。
【００１６】
したがって、本発明は物品を提供し、物品は所定条件に合致するまで第１の位置状態に保持され、この時点で、物品は第２の位置状態に移行する。物品の面に、物品の内側に押下されてもよい複数の形成物を設け、それにより形成物のうち１つのみが押下されたときに保持手段を解除することは、押下時にどの形成物が保持手段を解除し得るかをユーザが必ずしも知らなくてもよいことを意味する。実質的に硬い形成物もまた、物品が第２の物品と接触することができ、硬い形成物がその物品に置かれた形成物を内側に促す役割を果たすように、物品に設けられてもよい。押下された形成物がその物品と関連付けられた保持手段を解除するか否かは、物品と関連付けられた複数の形成物の特定の構成による。
【００１７】
一実施形態では、少なくとも１つの形成物と前記保持手段は、物品の１つの面と実質的に関連付けられている。典型的には、少なくとも１つの形成物と前記保持手段は、実質的に物品の同じ面に関連付けられている。更に典型的には、前記保持手段は保持手段が関連付けられている面を、隣接する面に接続することで物品を第１の位置状態に保持している。
【００１８】
一実施形態では、保持手段は、留め金の形態で設けられている。典型的には、前記留め金は、前記少なくとも１つの形成物が物品の内側に所定の距離だけ促されると解除可能である。好ましくは、複数の形成物が設けられている場合、前記留め金は、複数の形成物のうちの１つの形成物が物品の内側に所定の距離だけ促されると解除可能である。
【００１９】
一実施形態では、物品の面はヒンジ連結されている。典型的には、前記保持手段は２つの面の隣接する自由縁部を保持することで物品を第１の位置状態に保持している。更に典型的には、物品は、付勢力の作用に反し、保持手段によって第１の位置状態に保持されている。
【００２０】
一実施形態では、取外し可能な本体は、物品の少なくとも１つの面と関連付けられて設けられている。典型的には、前記少なくとも１つの形成物は取外し可能な本体とともに置かれている。更に典型的には、複数の形成物は、取外し可能な本体とともに置かれている。一実施形態では、保持手段は、取外し可能な本体とともに置かれている。
【００２１】
一実施形態では、前記本体は、物品の前記面のうちの１つに取り外し可能に取り付けられている。典型的には、前記本体は、物品の前記面のうちの１つの開口内に取り外し可能に置かれている。更に典型的には、前記本体は、第２の又は更なる物品とともに取り外し可能に置かれていてもよい。したがって、１つ以上の取外し可能な本体は、１つ以上の物品と交換可能である。異なる取外し可能な本体は異なる構成を有しており、その結果、押下されたときに本体の異なる形成物が保持手段の解除を担う。
【００２２】
一実施形態では、物品が第１の位置状態にあるときに前記取外し可能な本体が実質的に物品の内部内に置かれるように、前記取外し可能な本体は、物品とともに置かれている。典型的には、取外し可能な本体は、物品とともに置かれているとき、取外し可能な本体が置かれている物品の面の少なくとも一部を形成している。
【００２３】
一実施形態では、前記第２の位置状態は、前記第１の位置状態に対する物品の反転形態である。典型的には、前記所定条件に合致すると、物品は、前記第１の位置状態から第２の、反転位置状態に移行する。
【００２４】
一実施形態では、物品は、４つ以上の面及び／又はパネルを含む多面体からなる。典型的には、物品は、四面体、五面体、立方体、八面体、十二面体、又は二十面体形状等を形成している。更に典型的には、多面体の面及び／又はパネルは、第２の位置状態に付勢される。
【００２５】
一実施形態では、物品は、６つの面からなる。典型的には、前記６つの面は接続して実質的に立方体形状の物品の面を形成している。更に典型的には、前記面は第２の位置状態に付勢される。
【００２６】
一実施形態では、前記付勢手段は１つ以上のバネの形態で設けられている。典型的には、前記１つ以上のバネは、コイルバネ、板バネ、ねじりバネ、ひげぜんまい等のいずれか又はこれらの任意の組み合わせとして設けられている。
【００２７】
一実施形態では、付勢手段は、物品の２つの隣接する面間の接続部に又は実質的に物品の２つの隣接する面間の接続部に設けられている。典型的には、前記付勢手段は、２つの隣接する面に接続されており、前記面を第２の位置状態に付勢する。
【００２８】
一実施形態では、少なくとも１つの磁石は、物品と関連付けられて設けられている。典型的には、前記少なくとも１つの磁石は、物品の面に置かれている。好ましくは、前記少なくとも１つの磁石は、少なくとも１つの形成物が関連付けられている、物品の同じ面に置かれている。一実施形態では、２つの磁石は、物品の前記面に置かれて設けられている。
【００２９】
一実施形態では、前記少なくとも１つの磁石は、物品の面に直接置かれている。典型的には、前記少なくとも１つの磁石は、取外し可能な本体を配置可能な開口に隣接して置かれており、取外し可能な本体は、前記少なくとも１つの形成物を含む。好ましくは、２つの磁石は、取外し可能な本体を配置可能な開口の反対側に設けられている。
【００３０】
一実施形態では、前記少なくとも１つの磁石は、物品を実質的に第２の物品と整列させるために設けられている。好ましくは、２つの磁石は、物品を第２の物品に置かれた対応する磁石で整列させるために、物品の同じ面の実質的に反対側に設けられている。したがって、磁石は物品に設けられており、この磁石は、物品を、この物品が相互作用し得る第２の物品と整列させる際の、この物品のための方向性を持つ力として純粋に機能する。このことは、それぞれの物品の能動面の相互作用を可能にし、それぞれの物品を接触させたとき又は互いに所定の近接距離内にあるとき、物品のうちの１つの所定条件に合致することを可能にする。その後、物品のうちの１つに関する所定条件に合致すると、その物品の保持手段は解除され、物品は、第１の位置状態から第２の位置状態に移行することが可能となる。
【００３１】
一実施形態では、物品はリセット手段を更に含む。典型的には、前記リセット手段は、ユーザが物品を第２の位置状態から第１の位置状態に移行させるのを助けるために設けられている。したがって、リセット手段は、ユーザが物品を、保持手段の解除時に物品が付勢される反転位置状態から本来の第１の位置状態へと戻すのを助けるために設けられている。
【００３２】
一実施形態では、前記リセット手段は１つ以上のひも又はより糸部材等を含む。典型的には、前記１つ以上のひも又はより糸部材は、物品に設けられた２つ以上の面又はパネルを接続するために設けられている。
【００３３】
一実施形態では、ユーザによって作動されると、前記リセット手段は、物品を第２の位置状態から第１の位置状態に少なくとも一部戻すように設けられている。典型的には、第１の位置状態に戻されていない物品の残りの部分は、前記リセット手段の使用後にユーザによって前記位置状態に戻され得る。
【００３４】
一実施形態では、物品が複数の面及び／又はパネルを備える場合、リセット手段は、前記面及び／又はパネルの少なくとも２つを第１の位置状態に戻すように配置されている。
【００３５】
一実施形態では、リセット手段が１つ以上のひも又はより糸部材等として設けられる場合、前記ひも又はより糸部材は、ユーザによって引っ張られる又は強く引かれるように配置されており、このような動作は、物品を第１の位置状態にするのを助ける役割を果たす。したがって、リセット手段を、典型的には、１つ以上のひも又はより糸部材の形態で設けることで、ユーザがこのような機構なしで物品を動作させなければならない場合に比べて大幅に容易に、ユーザが物品を初期の第１の位置状態に戻すことを可能にする。物品が複数の面及び／又はパネルを備えてもよく、その全てが第２の位置状態に付勢される典型的な実施形態では、物品を第１の位置状態に回復するにはむしろ手間がかかる又は慎重を要する場合があるため、前記面及び／又はパネルの少なくともいくつかを第１の位置状態に回復することができるリセット手段を設けることで、ユーザが残りの面／パネル、したがって、物品全体を第１の位置状態に戻すことがはるかに容易になる。
【００３６】
一実施形態では、物品は、第２の位置状態にあるとき、動物又はキャラクター等の形態で呈されるように提供されてもよい。典型的には、第２の位置状態にあるとき、物品に設けられたリセット手段は、物品の動物／キャラクターの特定の特徴又は体の部分を形成するように設けられてもよい。
【００３７】
一実施形態では、複数の取り付け可能な部材は、物品のパネル及び／又は面と関連付けられて設けられている。典型的には、前記取り付け可能な部材は、物品が第２の位置状態にあるときに見えるように、前記面及び／又はパネルに設けられている。更に典型的には、前記取り付け可能な部材は、取外し可能である及び／又は他のこのような部材と交換可能であるように設けられている。また更に典型的には、前記取り付け可能な部材は、第２の位置状態にあるときに物品によって表される動物又はキャラクターの特徴若しくは体の部分として形成される又は見えるように設けられている。
【００３８】
一実施形態では、物品は、複数の均一な大きさのパネル及び／又は面を備える。典型的には、少なくとも１つのパネル／面は、他のパネル／面より小さな大きさで設けられている。一実施形態では、前記より小さなパネル／面は、それにヒンジ連結で取り付けられた更なるパネル又は部分を有する。典型的には、前記更なるパネル又は部分は、前記より小さなパネル／面に等しい又はこれより小さい大きさで設けられている。更に典型的には、物品が第１の位置状態にあるとき、前記更なるパネル／部分は、実質的に物品の内部に置かれている。
【００３９】
本発明の更なる態様では、物品群が提供され、前記物品群は、第１の位置状態と第２の位置状態との間で移行可能であり、第２の位置状態に付勢される少なくとも２つの物品を含み、前記物品は、所定条件に合致するまで保持手段によって物品のそれぞれの第１の位置状態に保持され、物品の少なくとも１つに関する前記所定条件は、物品が接触する又は既定の距離内にあるときに合致し、この時点で、少なくとも２つの物品の前記１つは、付勢手段の影響下で第１の位置状態から第２の位置状態に移行し、前記所定条件は、少なくとも２つの物品の前記１つの少なくとも１つの面に置かれた少なくとも１つの形成物が第１の位置状態から第２の位置状態に移行すると合致し、それによって前記保持手段を解除し、第１の位置状態から第２の位置状態への前記物品の移行を可能にすることを特徴とする。
【００４０】
一実施形態では、前記少なくとも１つの形成物は、少なくとも２つの物品のうちの前記１つの少なくとも１つの面から外側に延在するように形成されている。典型的には、前記少なくとも１つの形成物は、その物品の実質的に内側に促され、それによって前記保持手段を解除するように設けられている。
【００４１】
典型的には、前記少なくとも１つの形成物は、少なくとも２つの物品のうちの第２の物品の対応する形成物と接触すると実質的に内側に促されるように配置されている。好ましくは、前記第２の物品に置かれた対応する形成物は、対応する形成物が置かれている物品の内側に促され得ないように実質的に硬い形成物として設けられているが、第１の物品に関する所定条件に合致するように、第１の物品の第１の形成物は内側に促されるように配置されている。
【００４２】
一実施形態では、各物品は、物品の内側に促されてもよい少なくとも１つの形成物と、物品の内側に促され得ないように実質的に硬い形成物として設けられている少なくとも１つの形成物と、を含む。好ましくは、各物品は、典型的には、物品の内側に促されることによって第１の位置状態から第２の位置状態に移行されてもよい複数の形成物を含む。典型的には、物品の内側に促されたとき、形成物のうち１つのみが保持手段を解除する。
【００４３】
一実施形態では、前記第２の位置状態は、前記第１の位置状態に対する少なくとも２つの物品の反転形態である。典型的には、物品のうちの１つにおいて前記所定条件に合致すると、物品は、前記第１の位置状態から第２の、反転位置状態に移行する。
【００４４】
一実施形態では、前記少なくとも２つの物品のうちの第１の物品における所定条件に合致しているとき、前記第２の位置状態は、第１の物品が移行し、典型的には反転し、前記少なくとも２つの物品のうちの第２の物品を少なくとも部分的に巻き込む、閉じ込める及び／又は捕らえるためのものである。
【００４５】
一実施形態では、付勢手段は、少なくとも２つの物品のそれぞれに設けられている。典型的には、前記付勢手段は、少なくとも２つの物品をそのそれぞれの第２の位置状態に付勢する。更に典型的には、少なくとも２つの物品のうちの第１の物品の保持手段を解除すると、前記第１の物品は、第１の位置状態から第２の位置状態に移行する。
【００４６】
一実施形態では、少なくとも第１の形成物及び第２の形成物は、少なくとも２つの物品のそれぞれに置かれている又関連付けられている。典型的には、第１の物品の又は第１の物品と関連付けられた第１の形成物は、第２の物品の又は第２の物品と関連付けられた第２の、実質的に硬い形成物に対応する。更に典型的には、第１の物品の又は第１の物品と関連付けられた第１の形成物は、第２の物品の又は第２の物品と関連付けられた第２の実質的に硬い形成物と接触すると、第１の形成物は第１の物品の内側に促され、第１の物品に関する所定条件に合致する。したがって、第１の物品は、ここで、第１の位置状態から第２の位置状態に移行可能である。また更に典型的には、第１の位置状態から第２の位置状態への第１の物品の移行には、第１の物品が第２の物品を少なくとも一部巻き込む、閉じ込める及び／又は捕らえることを伴う。
【００４７】
一実施形態では、第２の物品の又は第２の物品と関連付けられた第１の形成物は、第３の物品の又は第３の物品と関連付けられた第２の、実質的に硬い形成物に対応する。典型的には、第１の物品の又は第１の物品と関連付けられた第２の、実質的に硬い形成物は、第３の又は更なる物品の又は第３の又は更なる物品と関連付けられた第１の形成物に対応する。
【００４８】
一実施形態では、取外し可能な本体は、物品のそれぞれの少なくとも１つの面と関連付けられて設けられている。典型的には、前記形成物は、取外し可能な本体とともに置かれている。一実施形態では、保持手段は、取外し可能な本体のそれぞれとともに置かれている。典型的には、各保持手段は、各保持手段が関連付けられている物品を、その物品に関する所定条件に合致するまで、第１の位置状態に保持するために設けられている。
【００４９】
一実施形態では、前記本体は、物品の前記面のうちの１つに取り外し可能に取り付けられている。典型的には、前記本体は、物品の前記面のうちの１つの開口内に取り外し可能に置かれている。更に典型的には、前記本体は、第２の又は更なる物品とともに取り外し可能に置かれていてもよい。したがって、１つ以上の取外し可能な本体は物品間で交換可能である。典型的には、前記物品のそれぞれに取り外し可能に取り付け可能な複数の本体が設けられている。異なる取外し可能な本体は異なる構成を有し、押下されたときに本体の異なる形成物が保持手段の解除を担うことになる。
【００５０】
一実施形態では、前記取外し可能な本体は、物品が第１の位置状態にあるときに実質的に物品の内部内に置かれるように物品とともに置かれている。典型的には、取外し可能な本体は、物品とともに置かれているとき、取外し可能な本体が置かれている物品の面の少なくとも一部を形成している。
【００５１】
一実施形態では、少なくとも１つの磁石は、各物品と関連付けられて設けられている。典型的には、前記少なくとも１つの磁石は、物品の面に置かれている。好ましくは、前記少なくとも１つの磁石は、形成物が関連付けられている物品の、同じ面に置かれている又は関連付けられている。一実施形態では、２つの磁石は、物品の前記面に置かれて設けられている。
【００５２】
一実施形態では、前記少なくとも１つの磁石は、物品のそれぞれの面に直接置かれている。典型的には、前記少なくとも１つの磁石は、取外し可能な本体を配置可能な開口に隣接して置かれており、取外し可能な本体は、前記形成物を含む。好ましくは、２つの磁石は、取外し可能な本体を配置可能な開口の反対側に設けられている。
【００５３】
一実施形態では、前記少なくとも１つの磁石は、２つの物品を互いに整列させるように配置されている。好ましくは、２つの磁石は、第１の物品を第２の物品に置かれた対応する磁石と整列させるために、物品の同じ面の実質的に反対側に設けられている。
【００５４】
一実施形態では、物品は、リセット手段を更に含む。典型的には、前記リセット手段は、ユーザが物品を第２の位置状態から第１の位置状態に移行するのを助けるために設けられている。したがって、リセット手段は、ユーザが物品を、保持手段の解除時に物品が付勢される反転位置状態から本来の第１の位置状態に戻すのを助けるために設けられている。
【００５５】
一実施形態では、前記リセット手段は１つ以上のひも又はより糸部材等を含む。典型的には、前記１つ以上のひも又はより糸部材は、物品に設けられた２つ以上の面又はパネルを接続するために設けられている。
【００５６】
一実施形態では、ユーザによって作動されると、前記リセット手段は、物品を第２の位置状態から第１の位置状態に少なくとも一部戻すように設けられている。典型的には、第１の位置状態に戻されていない物品の残りの部分は、前記リセット手段の使用後にユーザによって前記位置に戻され得る。
【００５７】
一実施形態では、物品が複数の面及び／又はパネルを備える場合、リセット手段は、前記面及び／又はパネルの少なくとも２つを第１の位置状態に戻すように配置されている。
【００５８】
本発明の別の態様では、少なくとも２つの物品間の相互作用を生じさせる方法が提供され、前記方法は、それぞれの第１の位置状態にあり、前記第１の位置状態とそれぞれの第２の位置状態との間で移行可能な少なくとも２つの物品を設けるステップと、第１の物品及び／又は第２の物品のいずれか若しくは両方に関する所定条件に合致するまで少なくとも２つの物品を互いに近づけるステップであって、物品において前記所定条件に合致すると、付勢手段は付勢力を働かせ、その物品を第１の位置状態から第２の位置状態に移行させる、ステップと、を含み、前記所定条件は、その物品の少なくとも１つの面に置かれた少なくとも１つの形成物が、他方の物品の対応する形成物によって第１の位置状態から第２の位置状態に移行すると合致し、それによって前記保持手段を解除し、第１の位置状態から第２の位置状態へのその物品の移行を可能にすることを特徴とする。
【００５９】
一実施形態では、前記少なくとも１つの形成物はその物品の少なくとも１つの面から外側に延在し、他方の物品の対応する形成物によって物品の実質的に内側に促され、それによって前記保持手段を解除する。
【００６０】
典型的には、物品のうちの１つにおいて前記所定条件に合致すると、その物品は、前記第１の位置状態から第２の、反転位置状態に移行する。
【００６１】
一実施形態では、少なくとも２つの物品のうちの第１の物品における所定条件に合致しているとき、前記第２の位置状態は、第１の物品が移行し、典型的には反転し、前記少なくとも２つの物品のうちの第２の物品を少なくとも部分的に巻き込む、閉じ込める及び／又は捕らえるためのものである。
【００６２】
一実施形態では、取外し可能な本体は、物品のそれぞれの少なくとも１つの面と関連付けられて設けられている。典型的には、前記形成物は、取外し可能な本体とともに置かれている。一実施形態では、保持手段は、取外し可能な本体のそれぞれとともに置かれている。典型的には、各保持手段はそれが関連付けられている物品を、その物品に関する所定条件に合致するまで第１の位置状態に保持するように設けられている。
【００６３】
一実施形態では、前記本体は、物品の前記面のうちの１つに取り外し可能に取り付けられている。典型的には、前記本体は、物品の前記面のうちの１つの開口内に取り外し可能に置かれている。更に典型的には、前記本体は、第２の又は更なる物品とともに取り外し可能に置かれていてもよい。したがって、１つ以上の取外し可能な本体は物品間で交換可能である。典型的には、前記物品のそれぞれに取り外し可能に取り付け可能な複数の本体が設けられている。異なる取外し可能な本体は異なる構成を有しており、押下されたときに本体の異なる形成物が保持手段の解除を担うことになる。
【００６４】
一実施形態では、前記取外し可能な本体は、物品間で交換可能であり、第１のユーザは、第１の本体を第１の物品とともに置くように選択し、第２のユーザは、第２の本体を第２の物品とともに置くように選択する。
【００６５】
各ユーザは、そのそれぞれの物品に取り付けるための特定の取外し可能な本体を選び、したがって、特定の取外し可能な本体における形成物の構成によって、２つが互いに接触したときに前記物品のどれが作動されるかを決定する。
【００６６】
ここで、添付の図を参照しながら本発明の実施形態を記載する。
【図面の簡単な説明】
【００６７】
【図１ａ】本発明の一実施形態による物品の開く段階を示す。
【図１ｂ】本発明の一実施形態による物品の開く段階を示す。
【図１ｃ】本発明の一実施形態による物品の開く段階を示す。
【図１ｄ】本発明の一実施形態による物品の開く段階を示す。
【図２】本発明の一実施形態による展開した物品の平面図を示す。
【図３】本発明の一実施形態による物品の保持手段及び付勢手段の図を示す。
【図４ａ】本発明の一実施形態による、展開した物品の図を示す。
【図４ｂ】本発明の一実施形態による、物品の取外し可能な本体の図を示す。
【図５ａ】本発明の一実施形態による、物品のパネル及び関連付けられた取外し可能な本体の図を示す。
【図５ｂ】本発明の一実施形態による、物品のパネル及び関連付けられた取外し可能な本体の図を示す。
【図５ｃ】本発明の一実施形態による、物品のパネル及び関連付けられた取外し可能な本体の図を示す。
【図５ｄ】本発明の一実施形態による、物品のパネル及び関連付けられた取外し可能な本体の図を示す。
【図５ｅ】本発明の一実施形態による、物品のパネル及び関連付けられた取外し可能な本体の図を示す。
【図５ｆ】本発明の一実施形態による、物品のパネル及び関連付けられた取外し可能な本体の図を示す。
【図５ｇ】本発明の一実施形態による、物品のパネル及び関連付けられた取外し可能な本体の図を示す。
【図５ｈ】本発明の一実施形態による、物品のパネル及び関連付けられた取外し可能な本体の図を示す。
【図６ａ】本発明の一実施形態による、取外し可能な本体を有する物品の図を示す。
【図６ｂ】本発明の一実施形態による、取外し可能な本体を有する物品の図を示す。
【図６ｃ】本発明の一実施形態による、取外し可能な本体を有する物品の図を示す。
【図６ｄ】本発明の一実施形態による、取外し可能な本体を有する物品の図を示す。
【図６ｅ】本発明の一実施形態による、取外し可能な本体を有する物品の図を示す。
【図６ｆ】本発明の一実施形態による、取外し可能な本体を有する物品の図を示す。
【図６ｇ】本発明の一実施形態による、取外し可能な本体を有する物品の図を示す。
【図６ｈ】本発明の一実施形態による、取外し可能な本体を有する物品の図を示す。
【図７ａ】本発明の一実施形態による、展開した物品を第１の位置状態に閉じる段階の図を示す。
【図７ｂ】本発明の一実施形態による、展開した物品を第１の位置状態に閉じる段階の図を示す。
【図７ｃ】本発明の一実施形態による、展開した物品を第１の位置状態に閉じる段階の図を示す。
【図７ｄ】本発明の一実施形態による、展開した物品を第１の位置状態に閉じる段階の図を示す。
【図７ｅ】本発明の一実施形態による、展開した物品を第１の位置状態に閉じる段階の図を示す。
【図７ｆ】本発明の一実施形態による、展開した物品を第１の位置状態に閉じる段階の図を示す。
【図７ｇ】本発明の一実施形態による、展開した物品を第１の位置状態に閉じる段階の図を示す。
【図７ｈ】本発明の一実施形態による、展開した物品を第１の位置状態に閉じる段階の図を示す。
【図７ｉ】本発明の一実施形態による、展開した物品を第１の位置状態に閉じる段階の図を示す。
【図７ｊ】本発明の一実施形態による、展開した物品を第１の位置状態に閉じる段階の図を示す。
【図７ｋ】本発明の一実施形態による、展開した物品を第１の位置状態に閉じる段階の図を示す。
【図７ｌ】本発明の一実施形態による、展開した物品を第１の位置状態に閉じる段階の図を示す。
【図７ｍ】本発明の一実施形態による、展開した物品を第１の位置状態に閉じる段階の図を示す。
【図７ｎ】本発明の一実施形態による、展開した物品を第１の位置状態に閉じる段階の図を示す。
【図７ｏ】本発明の一実施形態による、展開した物品を第１の位置状態に閉じる段階の図を示す。
【図７ｐ】本発明の一実施形態による、展開した物品を第１の位置状態に閉じる段階の図を示す。
【図８ａ】本発明の一実施形態による、リセット手段を有する物品の段階を示す。
【図８ｂ】本発明の一実施形態による、リセット手段を有する物品の段階を示す。
【図８ｃ】本発明の一実施形態による、リセット手段を有する物品の段階を示す。
【図８ｄ】本発明の一実施形態による、リセット手段を有する物品の段階を示す。
【発明を実施するための形態】
【００６８】
まず図１ａ〜図１ｄを参照すると、実質的に立方体形状のプレー用コレクタブルアイテム又は玩具（１）の形態の物品が提供されている。玩具（１）は、図１ａに示す第１の位置状態から、玩具（１）がその第１の位置状態に対して完全に反転されている第２の位置状態と移行することができる。図１ａ〜図１ｄは、図１ａの第１の位置状態から、第１の位置状態と図２により明瞭に示される図１ｄの第２の位置状態との間の中間位置状態への玩具（１）の開く段階を示す。この特定の実施形態では、玩具（１）は立方体形状で設けられており、６つの接続されたパネル（３）からなる。パネル（３）は付勢手段によって第２の位置状態に移行するように付勢されるが、所定条件に合致するまで第１の位置状態に保持されている。所定条件に合致すると、玩具（１）は第１の位置状態から第２の位置状態に移行する。解除留め金（５）はパネル（３’）の１つに置かれており、玩具（１）が第１の位置状態にあるとき、留め金（５）は隣接するパネル（３”）に係合しており、隣接するパネル（３”）及び残りのパネル（３）を第１の位置状態に保持している。玩具（１）のパネル（３、３’、３”）はヒンジ連結されており、解除留め金（５）は２つのパネル（３’、３”）の隣接する縁部を所定の位置に保持しており、それによって玩具（１）を第１の位置状態に保持している。玩具（１）は、付勢力の作用に反し、解除留め金（５）が解除される点まで解除留め金（５）によって第１の位置状態に保持されている。
【００６９】
バネ（７）の形態の付勢手段は、玩具（１）を第２の位置状態に付勢するために設けられている。バネ（７）は図３に最も良く示されている。バネ（７）は、コイルバネ、板バネ、ねじりバネ、ひげぜんまい等のいずれか又は任意の組み合わせなどの種々の形態で提供されてもよい。この特定の実施形態では、バネ（７）は、コイルねじりバネとして設けられている。バネ（７）はパネル（３）の縁部に置かれており、バネ（７）が置かれているパネル（３）を隣接するパネル（３）と接続している。パネル（３）に設けられた一連のバネ（７）が玩具（１）を第２の、反転位置状態に付勢する。この付勢移動は、しかしながら、留め金（５）が接続している隣接するパネル（３”）からの留め金（５）の解除時のみに可能とされる。留め金（５）が隣接するパネル（３”）から解除されると、このパネル（３”）はバネ（７）の付勢力によって外側に開く。これは図１ｂに示す。パネル（３”）及び一連の二次留め金（９）によって第１の位置状態で適所に維持されていた残りのパネル（３）は、その後、玩具（１）が反転される第２の位置状態となるまで、図１ｃ及び図１ｄに示すように外側に開く。
【００７０】
図１ａ〜図３は、留め金（５）及び解除機構が、概して、玩具（１）のパネル（３’）に置かれている玩具物品（１）を示す。本発明の好ましい実施形態では、留め金（５）及び解除機構は、取外し可能な本体（１１）に置かれており、取外し可能な本体（１１）は、図４ａ〜図４ｂに示すように、パネル（３’）内の適切な寸法の開口（１３）に挿入することができ、開口（１３）から取り外すことができる。図５ａ〜図５ｈは、取外し可能な本体（１１）が中に置かれており、解除留め金（５）及び機構は、玩具物品（１）が第１の位置状態にあるときに玩具物品（１）の内側に置かれるように、本体（１１）の後部に置かれている、パネル（３’）の種々の図を示す。図６ａ〜図６ｈは、完全に展開された玩具物品（１）の一部としての、パネル（３’）と本体（１１）との組み合わせを示す。図４ａ〜図６ｈから分かるように、解除留め金（５）及び機構は、本体（１１）の後部に置かれているが、開口（１３）を埋め、パネル（３’）の面を完成させている本体（１１）の前面は、パネル（３’）／本体（１１）の面から外側に延在する複数の形成物又は突起（１５）を含む。本実施形態は、６つのこれら突起を有する玩具物品（１）を示すが、玩具（１）の機能はわずか２つの突起（１５）で作用し、上限は製造業者が望ましい及び／又は実施可能と考えるものに設定されることは理解されよう。突起（１５’）の少なくとも１つは、玩具（１）／本体（１１）から内側に促され得るように押下可能であり、内側に促されると、上に言及したような所定条件に合致し、図５ｅに示すように、接続点（１７）によって留め金（５）が解除される。留め金（５）は係止位置状態から解除されると、隣接するパネル（３”）を係止位置状態から解除し、付勢バネ（７）は玩具（１）を付勢して第１の位置状態から第２の、反転位置状態へと移行させる。
【００７１】
押下されたときに留め金（５）を解除するためにわずか１つの形成物／突起（１５’）を必要とする一方、この突起は、本体（１１）に置かれたいくつかの、この実施形態では６つの突起（１５）のうちの１つである。これら突起（１５）のいくつかもまた、本体（１１）／玩具（１）から内側に押下可能であるが、１つの突起（１５’）のみが留め金（５）の作動／解除のために設けられている。突起（１５”）の１つは、本体（１１）／玩具（１）に比して実質的に硬く、内側に促すことができないように設けられている。突起（１５）の押下、したがって、留め金（５）の解除は玩具（１）のパネル（３’）が第２の玩具（１）の対応するパネル（３’）と接触すると実施される。したがって、本発明は、所定条件に合致する（この時点で、玩具物品（１）は第２の位置状態に移行する）まで第１の位置状態に保持される玩具物品（１）を提供する。玩具（１）から内側に押下されてもよい複数の突起（１５）を、玩具（１）のパネル（３’）に、又はパネル（３’）内に置かれる開口（１３）に挿入してもよい取外し可能な本体（１１）に設け、突起（１５’）の１つのみが押下されたときに保持手段を解除することで、ユーザは押下時にどの突起（１５）が保持手段を解除するかを必ずしも知っている必要がないようにする。玩具（１）／本体（１１）に比して実質的に硬い突起（１５”）もまた、玩具（１）を第２の玩具と接触させることができ、硬い突起（１５”）はその玩具にある突起を内側に促す役割を果たすように、玩具（１）に設けられている。押下された突起がその玩具に関連する保持留め金を解除するかどうかは玩具に関連する突起の特定の構成に依存する。本明細書では、突起（１５）、留め金（５）及び機構は、パネル（３’）の開口（１３）に挿入される取外し可能な本体（１１）に置かれるものとしているが、本発明の他の形態では、突起（１５）、留め金（５）及び機構は、パネル（３’）の面に直接置くことができ、取外しできないように設計できると認識されるであろうことも理解すべきである。
【００７２】
玩具（１）には、それに取り付けられた１つ以上の磁石（１９）も設けられている。記載されている実施形態では、２つの磁石（１９）が、取外し可能な本体（１１）を置いてもよい玩具（１）のパネル（３’）と一体に設けられている。図４ａ〜図５ｈで最もはっきりと分かるように、磁石（１９）はパネル（３’）の面の反対側に直接取り付けられており、使用時に本体（１１）を挿入できるように開口（１３）は磁石（１９）の間にある。突起（１５）、留め金（５）及び機構がパネル（３’）の面に直接置かれている実施形態では、磁石もまた、同じパネル（３’）に置かれている。磁石（１９）は玩具（１）を第２の玩具と、この２つの間の接触前に整列させるために設けられている。磁石（１９）は、したがって、本発明では、玩具（１）をそれが相互作用し得る第２の玩具と整列させる際の、純粋に玩具（１）のための方向性を持つ力として設けられている。このことは、各玩具の能動面の相互作用を可能にし、各玩具を互いに接触させたとき、玩具のうちの１つの所定条件に合致することを可能にする。その後玩具の１つについて所定条件に合致すると、その玩具の保持留め金が解除され、玩具は第１の位置状態から第２の位置状態に移行するのを可能とされる。本例において、玩具の１つについて所定条件に合致するときのその第２の位置状態は、その玩具が移行し、典型的には、反転し、他の玩具を少なくとも一部巻き込む、閉じ込める及び／又は捕らえるためのものである。
【００７３】
第１の玩具（１）について上述したものと同じ特徴を有する第２の物品又は玩具を提供してもよい。この実施形態では、第２の玩具は、また、押下されたときに、その解除留め金を作動させる突起（２１５’）と、例えば、第１の玩具（１）の対応する突起を内側に押下／促し、その玩具の解除留め金（５）を作動するために設けられた実質的に硬い突起（２１５”）を含む、いくつかの突起（２１５）を有する。第１の玩具（１）と同様に、第２の玩具の突起（２１５）、解除留め金及び機構もまた、上述のように、取外し可能な本体に置かれていてもよい。したがって、第１の玩具（１）と第２の玩具が共に移動する際、２つの玩具の磁石は、第１の玩具（１）と第２の玩具とを整列させ、それらを互いに引きつけるのを助けるように機能する。その後、第２の玩具の硬い突起（２１５”）は、解除留め金（５）に連結された第１の玩具（１）の突起（１５’）を押下し、第１の玩具（１）における所定条件に合致することを可能にし、留め金（５）は解除され、隣接するパネル（３”）を第１の位置状態に保持するのをやめる。第１の玩具（１）は、その後、第１の位置状態から第２の、反転位置状態に移行する。この例では、第２の、反転位置状態には、第１の玩具（１）が第２の玩具を少なくとも一部巻き込む、閉じ込める及び／又は捕らえることを伴う。
【００７４】
上述の第１及び第２の玩具と同じ特徴を有する第３の物品又は玩具が紹介され得る。第３の玩具を第１の玩具又は第２の玩具のいずれかと引き合わせるための機構は第１の玩具と第２の玩具との間について上述したものと同じままである。しかしながら、この例では、第３の玩具の突起（３１５）は、第１の玩具（１）と接触させたとき、作動され、第１の位置状態から第２の位置状態に移行し、第１の玩具を少なくとも一部巻き込む、閉じ込める及び／又は捕らえるのは第３の玩具であるように配置されている。加えて、第３の玩具を第２の玩具と接触させたとき、作動され、第１の位置状態から第２の位置状態に移行し、第３の玩具を少なくとも一部巻き込む、閉じ込める及び／又は捕らえるのは第２の玩具である。したがって、更なる突起（１５）は押下され得るが解除留め金（５）を作動しないことで、その正確な配置構成に関して似せた要素を玩具（１）に設けることは理解されよう。突起（１５、１５’、１５”）の構成は、玩具物品間で「じゃんけん」形式のゲームプレーを提供するために、異なる玩具（１）、又は特に、異なる本体（１１）間で異なってもよい。
【００７５】
ユーザが玩具（１）をカスタマイズすることを可能にするために、玩具（１）の追加付属物も提供してよい。例えば、玩具（１）に直接、又は後に玩具（１）に取り付けられる本体（１１）、のいずれかに、取り付け可能な面（図示せず）を設けてもよい。これにより、ユーザが自身の特定の玩具（１）をカスタマイズすることを可能にし、更に、複数の面が設けられる場合には、特別な特徴及び／又はポイントを各面と関連付けてもよい。玩具はそれぞれ、その各ユーザによってカスタマイズされてもよい。ユーザは、どの本体を玩具に取り付け（これによって玩具（１）の突起（１５）の構成を画定する）、他のどの玩具を作動する／作動させるかを選択することができるだけでなく、ユーザは、どの面を取り付けるかを選択してもよい。これは、単なる「紙が石に勝つ」等の場合よりもむしろ更なる採点のための手段を提供し、各面はそれに関連付けられた特定の（正又は負の）点数を有し、玩具の複数のユーザのための採点システムを導入してもよい。
【００７６】
ここで図８ａ〜図８ｄを参照すると、玩具（１）に存在してもよい更なる特徴が示されている。特に、ひも、より糸又はロープ（２５）の形態のリセット機構が設けられている。ひも（２５）は、ユーザが把持し、引っ張ることができる自由端（２７）を有する。ひも（２５）は、玩具（１）が第２の、反転位置状態に移行すると引っ張られる／強く引かれるように設けられるとともにそのように配置されており、ユーザがバネ（７）の付勢に反して玩具（１）を本来の第１の位置状態に戻すのを助けるためにある。ひも（２５）は玩具（１）内にあり、少なくとも２つのパネルを接続している。示される例では、端（２７）がユーザによって引っ張られると、パネル（３’）の留め金（５）の、パネル（３”）との再係合に助けられ、これら３つのパネル及び端部（３３）が第１の位置状態にリセットされるように、ひも（２５）は３つのパネル（３”、３’、３）及び末端の半パネル（３３）の長さに沿って延びている。ユーザは、その後続いて、２つのサイドパネル（３）を再結合させて、第１の位置状態に戻る玩具（１）の移動を完了する必要がある。図８ａ〜図８ｄには１本のひも（２５）を示しているが、追加のひもは、１つの引く動作で全体を移動するために共通端（２７）に繋いで、又はリセットを段階的に実施できるように、のいずれかで設けられ得ることは可能である。更に、このひも（２５）は３つの隣接するパネル（３、３’、３”）及び末端部分（３３）を接続するように示されるが、他の変形形態は可能であり、例えば、ひも（２５）は、移動の結果、サイドパネル（３）、したがって、パネル（３’）を引き合わせるように機能し、残りのパネル及び末端部分（３３）を折ることによりユーザにリセットを完了させてもよい。本出願人には他の変形形態もまた想定される。
【００７７】
また、図８ａ〜図８ｄに示されるのは、パネル（３、３’、３”）に取り付けるいくつかの取り付け可能なアドオン又は部品（２９）の提供である。このような部品は、玩具（１）が第２の、反転位置状態にあるときに露出するように、即ち、玩具（１）が第１の位置状態にあるときには玩具（１）の内部に隠れるように取外し可能／交換可能な手法でパネルに取り付けるように提供されてもよい。これら部品には、玩具物品（１）によって表現されるキャラクター若しくは動物の特徴又は本体部分として見えるように彫刻を施してもよい。したがって、リセット機構のひも（２５）は、そのような特徴に調和し、例えば、玩具物品（１）によって表現されるキャラクター又は動物の尾部として見えるように機能するように設けられてもよい。
【００７８】
最後に、示される実施形態では、玩具（１）は、いくつかの均一な大きさのパネル（３、３’、３”）を備え、第１の位置状態にあるときに玩具（１）を完成させる１つの更なる末端部分（３３）を有するものとして設けられている。しかしながら、玩具（１）が第２の、反転位置状態へと解除され、第２の玩具を「飲み込む」又は巻き込むようになっている場合、巻き込みを行う玩具は第２の玩具に完全には巻き付くことができないため、これにより小さな隙間が残る可能性がある。いくつかの実施形態では、したがって、玩具（１）にまた、図８ａにのみ示す部分（３３）にヒンジ連結で取り付けられた更により小さなパネル（３５）を設けてもよい。パネル（３５）は、反転位置状態において、別の玩具のより良好な封じ込めを行う役割を果たす。この部分（３５）のヒンジ連結される性質は、玩具（１）が第１の位置状態にあるとき、玩具の内部に部分（３５）が保存されることを可能にする。
【００７９】
本発明が記載されるように機能するために、上述の玩具（１）を立方体形状に限定する必要はないことは理解されよう。例えば、このような機構は、第１の位置状態から、第２の、物品又は玩具が三辺（四面体）の底面又は四辺（五面体）の底面のいずれかを有する角錐；八面体；十二面体；二十面体等である、実質的に反転位置状態への物品又は玩具の移動を提供してもよい。
【図１Ａ】
2019500988.tif 000003
【図１Ｂ】
2019500988.tif 000004
【図１Ｃ】
2019500988.tif 000005
【図１Ｄ】
2019500988.tif 000006
【図２】
2019500988.tif 000007
【図３】
2019500988.tif 000008
【図４Ａ】
2019500988.tif 000009
【図４Ｂ】
2019500988.tif 000010
【図５Ａ】
2019500988.tif 000011
【図５Ｂ】
2019500988.tif 000012
【図５Ｃ】
2019500988.tif 000013
【図５Ｄ】
2019500988.tif 000014
【図５Ｅ】
2019500988.tif 000015
【図５Ｆ】
2019500988.tif 000016
【図５Ｇ】
2019500988.tif 000017
【図５Ｈ】
2019500988.tif 000018
【図６Ａ】
2019500988.tif 000019
【図６Ｂ】
2019500988.tif 000020
【図６Ｃ】
2019500988.tif 000021
【図６Ｄ】
2019500988.tif 000022
【図６Ｅ】
2019500988.tif 000023
【図６Ｆ】
2019500988.tif 000024
【図６Ｇ】
2019500988.tif 000025
【図６Ｈ】
2019500988.tif 000026
【図７Ａ】
2019500988.tif 000027
【図７Ｂ】
2019500988.tif 000028
【図７Ｃ】
2019500988.tif 000029
【図７Ｄ】
2019500988.tif 000030
【図７Ｅ】
2019500988.tif 000031
【図７Ｆ】
2019500988.tif 000032
【図７Ｇ】
2019500988.tif 000033
【図７Ｈ】
2019500988.tif 000034
【図７Ｉ】
2019500988.tif 000035
【図７Ｊ】
2019500988.tif 000036
【図７Ｋ】
2019500988.tif 000037
【図７Ｌ】
2019500988.tif 000038
【図７Ｍ】
2019500988.tif 000039
【図７Ｎ】
2019500988.tif 000040
【図７Ｏ】
2019500988.tif 000041
【図７Ｐ】
2019500988.tif 000042
【図８Ａ】
2019500988.tif 000043
【図８Ｂ】
2019500988.tif 000044
【図８Ｃ】
2019500988.tif 000045
【図８Ｄ】
2019500988.tif 000046
【国際調査報告】
2019500988.tif 000047
2019500988.tif 000048